(57)【要約】【課題】棚照明システムにおいて、棚の縦枠といった狭い領域に効率良く光を照射して、棚の縦枠の輝度を高くして、空間全体における明るさ感を増加させる。【解決手段】棚照明システム１は、床Ｆに対して垂直に設置される棚１０の縦枠１１の上端部に配置され、光源２と、光源２の光を集光する集光レンズ３と、集光レンズ３から出射した光を反射する反射鏡４と、光源２を点灯駆動させるための駆動回路５と、を有する照明器具１２を備える。照明器具１２から出射される光は、棚１０の縦枠１１の巾よりも狭い範囲に照射される。この構成により、棚１０の縦枠１１に効率良く光が照射され、縦枠１１の前面の輝度を高くして、空間全体における明るさ感を増加させることができる。【選択図】図２
2008282608.tif 000002
【特許請求の範囲】
【請求項１】
光源と、光源の光を集光する集光レンズと、前記集光レンズから出射した光を反射する反射鏡と、光源を点灯駆動させるための駆動回路と、を有した照明器具を備え、この照明器具が床に対して垂直に設置される棚の縦枠の上端部近傍に配置される棚照明システムであって、
前記照明器具から出射される光が、前記棚の縦枠の巾よりも狭い範囲に照射されるように構成されていることを特徴とする棚照明システム。
【請求項２】
前記光源は、床に垂直な方向に積層された複数の光源から成り、前記反射鏡は、前記複数の光源からの光軸を略一点に集め、又は床に垂直な方向にずらせることを特徴とする請求項１に記載の棚照明システム。
【発明の詳細な説明】
【技術分野】
【０００１】
本発明は、棚の上端部近傍に配置される棚照明システムに関する。
【背景技術】
【０００２】
店舗等において、道行く人の注目度を高め、集客をアップさせるためには、照明光により、店舗内の空間の明るさ感を増加させる空間演出が広く用いられている。例えば、照明光を天井面や壁面に照射して、いわゆるウォールウォッシャー効果により、空間全体の明るさ感を増加させるような照明器具が知られている。
【０００３】
この種の照明器具において、天井が高い店舗では、照明光が天井面まで十分に届かないことがある。また、什器等が多く置かれているような店舗では、光の被照射面となる壁面の露出面積が少なくなり、上記のウォールウォッシャー効果を期待することができない。そこで、これらのような店舗においては、天井面や壁面ではなく、什器等の前面に光を照射して、什器等の前面の輝度を高くすることにより、室内全体の明るさ感を増加させることができる。
【０００４】
かかる照明器具にあって、棚の上部近傍に設置され、反射部材又は導光部材を用いて、光源から出射した光を効果的に棚に照射することができる棚照明器具が知られている（例えば特許文献１又は特許文献２参照）。
【特許文献１】特開２００２−４２５０８号公報
【特許文献２】特開２００５−６６４２１号公報
【発明の開示】
【発明が解決しようとする課題】
【０００５】
しかしながら、特許文献１又は特許文献２に示される棚照明器具では、照明光が棚の前面全体に照射されるので、棚の縦枠といった狭い領域に効率良く光を照射することができない。そのため、棚の縦枠の輝度が低くなり、空間全体において程よい明るさ感を得られなかった。
【０００６】
本発明は、上記課題を解決するものであり、棚の縦枠といった狭い領域に効率良く光を照射して、棚の縦枠の輝度を高くして、空間全体における明るさ感を増加させることができる棚照明システムを提供することを目的とする。
【課題を解決するための手段】
【０００７】
上記課題を解決するため、請求項１の発明は、光源と、光源の光を集光する集光レンズと、前記集光レンズから出射した光を反射する反射鏡と、光源を点灯駆動させるための駆動回路と、を有した照明器具を備え、この照明器具が床に対して垂直に設置される棚の縦枠の上端部近傍に配置される棚照明システムであって、前記照明器具から出射される光が、前記棚の縦枠の巾よりも狭い範囲に照射されるように構成されているものである。
【０００８】
請求項２の発明は、請求項１に記載の棚照明システムにおいて、前記光源は、床に垂直な方向に積層された複数の光源から成り、前記反射鏡は、前記複数の光源からの光軸を略一点に集め、又は床に垂直な方向にずらせるものである。
【発明の効果】
【０００９】
請求項１の発明によれば、棚の縦枠に効率良く光が照射されるので、縦枠の前面の輝度が高くなり、空間全体における明るさ感を増加させることができる。
【００１０】
請求項２の発明によれば、複数の光源からの光軸を略一点に集光して、縦枠の一部分の輝度を高くしたり、複数の光源の光軸が床に垂直な方向に並ぶようにして、縦枠における輝度面を広くすることができる。
【発明を実施するための最良の形態】
【００１１】
本発明の一実施形態に係る棚照明システムについて、図１（ａ）（ｂ）及び図２（ａ）（ｂ）を参照して説明する。本実施形態の棚照明システム１は、床Ｆに対して垂直に設置される棚１０の縦枠１１の上端部近傍に配置される照明器具１２を備える。また、照明器具１２は、光源２と、光源２の光を集光する集光レンズ３と、集光レンズ３から出射した光を反射する反射鏡４と、光源２を点灯駆動させるための駆動回路５と、これらを収納する筐体６と、を有する。
【００１２】
光源２には、汎用の発光ダイオード（ＬＥＤ）が用いられ、例えば、青色ＬＥＤにＹＡＧ（Ｙｔｔｒｉｕｍ  Ａｌｕｍｉｎｉｕｍ  Ｇａｒｎｅｔ）系蛍光体又はＢＯＳ（Ｂａｒｉｕｍ  ｏｒｔｈｏ−Ｓｉｌｉｃａｔｅ）系蛍光体を含む蛍光シート等を組み合わせた白色ＬＥＤ等が用いられる。
【００１３】
集光レンズ３は、光源２の発光面に配設され、光源２から出射された光の配光を制御する。この集光レンズ３は、透明ガラス又は透光性樹脂材料等から成り、光源２（ＬＥＤ）から出射された光の配光を略１０°以下に制御して、侠角配光の光が反射鏡４の方向へ出射するように成形される。また、集光レンズ３を構成する透光性樹脂材料に所定の色素等を添加して、出射光の光色を適宜に調整可能としてもよい。
【００１４】
反射鏡４は、集光レンズ３から出射した光を、効果的に縦枠１１の方向に反射することができ、かつ、縦枠１１に照射された光が反射して筐体６内に戻らないように、曲面状に形成された適宜の光反射部材が用いられる。この光反射部材は、曲面状に加工された樹脂構造体に、光反射率の高いアルミニウム等を蒸着させて作製される。また、本実施形態において、反射鏡４は、その光出射方向に垂直方向の巾が縦枠１１の巾よりも狭くなるように設計される。
【００１５】
駆動回路５には、汎用の駆動回路が用いられ、商用電源（図示せず）からの給電を受け、光源２に対して所定の調光信号を出力する。また、駆動回路５は筐体６内に収納されていてもよいし、筐体６外に設置されてもよい。駆動回路５が筐体６内に収納されるときは、棚照明システム１の意匠上の観点から、小型の駆動回路５が適用される。なお、図１（ｂ）は、駆動回路５が筐体６外に設置されて、配線７により接続された例を示している。また、図２（ｂ）では駆動回路５の記載を省略している。
【００１６】
筐体６は、底面が開口した箱形状の構造体であり、棚１０の上に設置可能であれば、その形状は特に限定されないが、光源２等を収納可能な範囲においてなるべく小型化されることが望ましい。また、筐体６は、光源２から放射される熱により、内部が高温に晒されることがあるので、耐熱性及び耐久性に優れた素材により形成される。
【００１７】
次に、本実施形態の棚照明システム１の動作について、上述の図面に加えて及び図３を参照して説明する。光源２から出射した光は、集光レンズ３に入射し、その一部が集光レンズ３の内側面で全反射して集光レンズ３外へ出射する。集光レンズ３から出射した光は、曲面状に形成された反射鏡４によって反射され、図２（ａ）（ｂ）の斜線ハッチングで示されるように、棚１０の縦枠１１の前面に照射される。
【００１８】
一般に、ＬＥＤの発光面から出射される光の配光は広いので、ＬＥＤの光は棚１０の縦枠１１のみならず、棚１０全体に照射される。そのため、縦枠１１の前面といった狭い領域の輝度は低くなる。これに対して、本実施形態の棚照明システム１では、集光レンズ３により、反射鏡４側へ出射される光が、略１０°以下の侠角配光に制御されている。また、反射鏡４の光出射方向に垂直な方向の巾は、縦枠１１の巾よりも狭くなるよう形成されている。そのため、光源２から出射された光は、集光レンズ３及び反射鏡４により、縦枠１１の巾よりも狭い範囲に効果的に照射され、縦枠１１の前面における輝度が高くなる。
【００１９】
既往の研究により、光源からの光を受けて、空間全体を明るくする被照射面（以下、輝度面という）の輝度が、所定の範囲に制御されることにより、空間全体の明るさ感が増加することが明らかになっている。以下に、輝度面の輝度と実際に人が感じる明るさ感との関係について、図３を参照して説明する。図３は、背景輝度５０ｃｄ／ｍ２のときの、輝度面の輝度と立体角及び明るさ感の増加効果との関係を示している。輝度面の輝度が、図中のｌｏｇＬ＝３．３のラインよりも低くなる領域（Ａ）にあるとき、空間全体はぼんやりと明るい印象となり、ｌｏｇＬ＝−０．３ｌｏｇω＋２．６３よりも高い領域（Ｂ）にあるとき、まぶしい印象を与える。また、輝度面の輝度が、図中の点描パターンで示された領域（Ｃ）に制御されたとき、最も明るさ感の増加効果が得られる。
【００２０】
例えば、通路に面したある店舗において、この店舗の奥行きが７ｍ程度であるとき、通路側から見た輝度面（０．０３ｍ×０．５ｍとする）の立体角ω１は約６×１０−５ｓｒ程度となる。店舗の背景輝度が５０ｃｄ／ｍ２であり、立体角ω１＝約６×１０−５ｓｒであるとき、上記の図３に示した例によると、輝度面の輝度を２０００ｃｄ／ｍ２以上としたときに明るさ感が増加する。また、９０００ｃｄ／ｍ２以上としたときに眩しさを感じさせる。
【００２１】
すなわち、本実施形態において、縦枠１１の前面の輝度が、２０００ｃｄ／ｍ２以上、９０００ｃｄ／ｍ２以下になるように、光源２の出力が制御されることにより、空間全体の明るさ感を増加させることができる。なお、このとき、光源２（ＬＥＤ）の発光面の輝度は数万ｃｄ／ｍ２となる。ただし、人が心地よい明るさと感じる輝度は、背景輝度によって異なり、例えば、背景輝度が低くなると、その最低輝度も低くなる。そのため、縦枠１１の前面の輝度は、棚照明システム１が適用される空間の背景輝度に応じて適宜に制御される必要がある。
【００２２】
また、一般に、光に対する眼の明るさ感度は、視線に近いほど高くなる。そのため、本実施形態の棚照明システム１は、人が正面を向いたときの視線近傍にある輝度面の輝度が高くなるよう構成されていることが望ましい。そこで、例えば、反射鏡４の湾曲形状は、光源２に近い部分のＲが小さく、光源２から離れるほどＲが大きくなるように形成される。このようにすることで、図４に示されるように、縦枠１１の上端部に近い輝度面がより高輝度として、空間の明るさ感をより効果的に増加させることができる。
【００２３】
次に、本実施形態の棚照明システム１の変形例について、図５（ａ）（ｂ）及び図６を参照して説明する。この変形例の棚照明システム１は、光源２が、複数の光源２０が床に垂直方向に積層されて成るものである。そして、図５（ａ）（ｂ）に示されるように、複数の光源２０からの光が、１つ反射鏡４により、縦枠１１方向へ反射されるようにしてもよいし、図６に示されるように、各光源２０に個別の反射鏡４が備えられてもよい。また、図５（ａ）（ｂ）及び図６では、いずれも光源２が床に対して垂直方向に３個の光源２０を備えた例を示しているが、その個数はこれに限定されない。
【００２４】
この変形例によれば、反射鏡４の曲面形状を適宜に調整することにより、図５（ａ）に示されるように、複数の光源２０からの光軸を略一点に集光して、縦枠１１の一部分の輝度を高くすることができる。また、図５（ｂ）に示されるように、複数の光源２０の光軸が床に垂直方向にずれるようにすることにより、縦枠１１における輝度面を広くすることができる。この変形例においては、各々の光源２０に光色の異なるＬＥＤを用いて、縦枠１１において光のグラデーションを生じさせるようにしてもよい。
【００２５】
なお、本発明は、上記構成に限られることなく種々の変形が可能である。例えば、棚１０の縦枠１１と横枠との接合部に反射材を設けて、棚照明システム１からの光を棚１０の横枠の方向に反射されるようにして、横枠の前面の輝度が増加するように構成してもよいまた、縦枠１１の表面に光拡散性を持たせることにより、より効果的に室内空間の明るさ感を増加させることができる。
【図面の簡単な説明】
【００２６】
【図１】（ａ）は本発明の一実施形態に係る棚照明システムの正面図、（ｂ）は同棚照明システムの側面図。
【図２】（ａ）は同棚照明器システムの正面拡大面図、（ｂ）は同棚照明器システムの側面断面図。
【図３】輝度面の輝度と明るさ感の増加効果との関係を示す図。
【図４】縦枠上端部からの距離と縦枠前面の輝度との関係を示す図。
【図５】（ａ）（ｂ）は本発明の変形例における棚照明システムの側面断面図。
【図６】本発明のさらに他の変形例における棚照明システムの側面断面図。
【符号の説明】
【００２７】
１    棚照明システム
１０    棚
１１    縦枠
１２    照明器具
２    光源
２０    光源
３    集光レンズ
４    反射鏡
５    駆動回路
【図１】
2008282608.tif 000003
【図２】
2008282608.tif 000004
【図３】
2008282608.tif 000005
【図４】
2008282608.tif 000006
【図５】
2008282608.tif 000007
【図６】
2008282608.tif 000008